(57)【要約】【課題】製造が容易で、内容物が少なくなっても自立性が低下しにくく、内容物を絞り出しやすい容器を提供する。【解決手段】内容物を収容する容器本体２と、容器本体２内の内容物を注出する口部材３と、口部材３の注出口を閉じる着脱可能な閉止部材５とを有し、閉止部材５を下にして倒立可能であり、容器本体２は、可撓性フィルムからなる一対の第１の平面部１０及び第２の平面部１２を有し、容器本体２内における口部材３の端部３ａから、第１の平面部１０の内面と接するように容器本体２の底に向かって延びる支持部材４を備える容器１。【選択図】図１
2015048131.tif 000002
【特許請求の範囲】
【請求項１】
内容物を収容する容器本体と、前記容器本体内の内容物を注出する口部材と、前記口部材の注出口を閉じる着脱可能な閉止部材とを有し、前記閉止部材を下にして倒立可能な容器において、
前記容器本体は、可撓性フィルムからなる一対の第１の平面部及び第２の平面部を有し、
前記容器本体内における前記口部材の端部から、前記第１の平面部の内面と接するように前記容器本体の底に向かって延びる支持部材を備える容器。
【請求項２】
前記支持部材が板状である、請求項１に記載の容器。
【請求項３】
前記支持部材の横断面は、前記第１の平面部側に膨出する円弧状になっている、請求項２に記載の容器。
【請求項４】
前記支持部材における前記第１の平面部の内面と接する表面が、前記口部材における前記第１の平面部の内面と接する表面と面一になっている、請求項１〜３のいずれか一項に記載の容器。
【発明の詳細な説明】
【技術分野】
【０００１】
本発明は、容器に関する。
【背景技術】
【０００２】
環境に配慮した容器として、内容物を収容する容器本体に可撓性フィルムを活用した容器が利用されている。該容器は、従来は詰め替え用として広く利用されているが、近年では、環境意識の高まりから詰め替え用だけでなく本体容器としての利用も増えている。
【０００３】
可撓性フィルムを活用した容器としては、例えば、２枚の可撓性フィルムを重ねてその周縁部をヒートシールして形成した容器本体と、該容器本体内の内容物を注出する口部材とを備え、自立性を有する容器が知られている。
しかし、該容器では、特に内容物の量が少なくなったときに、可撓性フィルムで形成された容器本体が折れ曲がりやすいため、自立性が低下しやすい。特に、口部材に被着されるキャップを有し、該キャップを下にして倒立させた状態で置いておくタイプの容器では、内容物が減少した際に容器本体が口部材近傍で折れ曲がりやすく、自立性が著しく低下する。
【０００４】
内容物が減少しても自立性の低下を抑制できる容器としては、例えば、以下に示す容器が提案されている。
（ｉ）容器底部から上方に向かって立設された支柱を有し、該支柱の上端が口部材の流路内に挿入された容器（特許文献１）。
（ii）注出筒部における容器本体の内部側の端面に、注出口を挟んで、幅方向を前記注出口の直径方向として立設された一対の板状の保形部材と、それら保形部材の先端同士を連結する板状の底開き性保持機構と、を有する口部材を備えた容器（特許文献２）。
（iii）注出筒部と、容器本体を挟むように前記注出筒部から底方向に延出され、その少なくとも一部が容器本体の外面に固着された一対の延出部と、を有する口部材を備えた容器（特許文献３）。
【先行技術文献】
【特許文献】
【０００５】
【特許文献１】特開２０００−４３８９５号公報
【特許文献２】特開２０１０−２３８４６号公報
【特許文献３】特開２００５−２３１６８７号公報
【発明の概要】
【発明が解決しようとする課題】
【０００６】
しかし、容器（ｉ）は、構成が複雑で製造工程が煩雑になる。
また、可撓性フィルムを用いた容器では、特に歯磨剤等のペースト状の内容物を収容する場合、内容物が少なくなったときに容器本体をスクイズして内容物を絞り出す。しかし、容器（ii）及び容器（iii）では、容器本体の形状が固定されているため、容器本体をスクイズすることができず、内容物が少なくなると内容物を注出することが困難になる。
【０００７】
本発明は、製造が容易で、内容物が少なくなっても倒立させた状態で自立性を保持でき、また内容物を絞り出しやすい容器を提供する。
【課題を解決するための手段】
【０００８】
本発明の容器は、内容物を収容する容器本体と、前記容器本体内の内容物を注出する口部材と、前記口部材の注出口を閉じる着脱可能な閉止部材とを有し、前記閉止部材を下にして倒立可能な容器において、前記容器本体は、可撓性フィルムからなる一対の第１の平面部及び第２の平面部を有し、前記容器本体内における前記口部材の端部から、前記第１の平面部の内面と接するように前記容器本体の底に向かって延びる支持部材を備えることを特徴とする。
【０００９】
本発明の容器では、前記支持部材が板状であることが好ましい。
また、前記支持部材の横断面は、前記第１の平面部側に膨出する円弧状になっていることが好ましい。
また、前記支持部材における前記第１の平面部の内面と接する表面は、前記口部材における前記第１の平面部の内面と接する表面と面一になっていることが好ましい。
【発明の効果】
【００１０】
本発明の容器は、製造が容易で、内容物が少なくなっても倒立させた状態で自立性を保持でき、また内容物を絞り出しやすい。
【図面の簡単な説明】
【００１１】
【図１】本発明の容器を倒立させた様子を示す正面図である。
【図２】図１の容器の口部材近傍の部分断面図である。
【図３】図２の容器の口部材を閉止部材から脱離させた様子を示す部分断面図である。
【図４】図３の容器のＡ−Ａ断面図である。
【図５】図１の容器における口部材及び支持部材の斜視図である。
【図６】図１の容器の閉止部材を示した斜視図である。
【図７】図６の閉止部材のＢ−Ｂ断面図である。
【図８】図７の閉止部材の凹部に図４の口部材の先端部を嵌め込んで固定した様子を示した断面図である。
【図９】他の支持部材を示した正面図である。
【図１０】図９の支持部材の側面図である。
【発明を実施するための形態】
【００１２】
＜第１実施形態＞
以下、本発明の容器の一例について、図１〜５に基づいて説明する。
本実施形態の容器１は、図１及び図２に示すように、内容物を収容する容器本体２と、容器本体２内の内容物を注出する口部材３と、容器本体２内で容器本体２の形状を保持する支持部材４と、口部材３に着脱可能に被着される閉止部材５と、を有する。容器１は、後述のように閉止部材５を下にして倒立させることができるようになっている。
【００１３】
（容器本体）
容器本体２は、可撓性フィルムからなる一対の第１の平面部１０及び第２の平面部１２を有する。容器本体２は、例えば、第１の平面部１０及び第２の平面部１２を形成する２枚の可撓性フィルムを重ね合わせ、その上縁部１４（倒立させたときの下側の縁部分）、側縁部１６及び底縁部１８をヒートシールして袋状とすることで形成できる。
容器本体２の大きさ及び形状は、適宜選定すればよく、特に限定されない。
【００１４】
可撓性フィルムとしては、例えば、樹脂フィルムが挙げられる。
樹脂フィルムの材質としては、例えば、ポリオレフィン（ポリエチレン、ポリプロピレン等）、ポリエステル（ポリエチレンテレフタレート等）、ポリアミド（ナイロン等）、エチレン−メタクリル酸共重合体、エチレン−ビニルアルコール共重合体、エチレン−酢酸ビニル共重合体等が挙げられる。
樹脂フィルムは、無延伸のフィルムであってもよく、一軸延伸したフィルムであってもよく、二軸延伸したシートであってもよい。
【００１５】
可撓性フィルムは、前記した樹脂フィルムの単層であってもよく、積層体であってもよい。
可撓性フィルムが積層体である場合には、ヒートシールが容易なことから、最も内側の層（最内層）がポリエチレン（低密度ポリエチレン、直鎖状低密度ポリエチレン、高密度ポリエチレン等）で形成されたフィルムであることが好ましい。また、可撓性フィルムには、ガスバリア性を向上させるために、金属箔や金属蒸着樹脂フィルムが積層されていてもよい。
【００１６】
（口部材）
口部材３は、図３〜５に示すように、容器本体２内の内容物を注出する筒状の注出筒部２０と、注出筒部２０の後端部において外側に張り出すように形成された、容器本体２に溶着される溶着部２２と、を有している。
口部材３は、溶着部２２がヒートシールによって第１の平面部１０及び第２の平面部１２に溶着されることで、容器本体２の上縁部１４に取り付けられる。つまり、口部材３は、注出筒部２０の先端が容器本体２から突出するように取り付けられている。
【００１７】
注出筒部２０では、内部が流路２４になっており、容器本体２内と連通している。容器本体２内の内容物は、注出筒部２０の流路２４を通じて、注出筒部２０の先端の注出口２６から注出される。
【００１８】
また、図４に示すように、口部材３の注出筒部２０における外壁面２０ａには、注出筒部２０の横断面（軸方向に垂直な断面）の直径方向に互いに対向する位置に、一対の突起部２８が形成されている。この一対の突起部２８は、口部材３に閉止部材５を取り付けた際に、後述する閉止部材５の係止部４４の下端部に係止される。これにより、口部材３が閉止部材５に安定して固定される。
【００１９】
この例の一対の突起部２８は、注出筒部２０の外壁面２０ａにおける、第１の平面部１０側と第２の平面部１２側にそれぞれ設けられている。突起部２８を設ける位置は、閉止部材５における係止部４４の位置と対応するように適宜設定すればよい。
突起部２８の形状及び大きさは、口部材３が閉止部材５にしっかりと固定される一方、閉止部材５から口部材３を脱離させるときに過度な力を要しないように適宜設定すればよい。この例の突起部２８は、注出筒部２０の軸方向に平行に切断したときの断面形状が矩形になっている。突起部２８の前記断面形状は、半円状等になっていてもよい。
【００２０】
口部材３の材質としては、容器の口部材に通常用いられる材質を用いることができる。例えば、ポリエチレン（低密度ポリエチレン、直鎖状低密度ポリエチレン、高密度ポリエチレン等）、ポリプロピレン等が挙げられる。
【００２１】
（支持部材）
支持部材４は、容器本体２内における口部材３の端部３ａから、容器本体２の第１の平面部１０の内面１０ａと接するように容器本体２の底に向かって延びるように形成されている。支持部材４においては、口部材３の端部３ａから容器本体２の底に向かう方向を長さ方向、該長さ方向に垂直な方向を幅方向とする。つまり、支持部材４の幅方向と、容器本体２の幅方向は一致する。
この例の支持部材４は、横断面が第１の平面部１０側に膨出した円弧状になっている板状であり、容器本体２内における、注出筒部２０の流路２４の開口端２４ａを囲うように設けられている。また、この例では、口部材３と支持部材４は一体成形されている。
【００２２】
容器本体２内に支持部材４を備えていることで、内容物が減少しても支持部材４が支えになって容器本体２が折れ曲がることが防止される。このように、支持部材４によって容器本体２の形状が保持されることで、内容物が減少しても、閉止部材５を下にして倒立させた状態で容器１の自立性が保持される。
また、容器１においては、支持部材４は、口部材３の端部３ａにおける第１の平面部１０側の一方のみに設けられており、口部材３の端部３ａにおける第２の平面部１２側には設けられない。すなわち、口部材３の端部３ａにおいて、容器本体２の両方の側縁部１６を結ぶ直線で２分される領域のうち、第１の平面部１０側の領域Ａ（図４）内に支持部材４が設けられる。これにより、容器本体２をスクイズする際に支持部材４が邪魔にならず、容器本体２を口部材３近傍まで充分にスクイズして内容物を絞り出すことができる。
以上のように、容器１では、内容物が減少しても、倒立させた状態で自立性を保持できるうえ、内容物を容易に絞り出すことも可能である。
【００２３】
支持部材４は、この例のように板状であることが好ましい。これにより、容器本体２をスクイズして内容物を絞り出すことが容易になる。
また、支持部材４を板状とする場合は、容器本体２をスクイズして内容物を絞り出すことが容易になる点から、板状の支持部材４における厚み方向の表面が容器本体２の第１の平面部１０と接するようにすることが好ましい。
なお、支持部材４の形状は、板状には限定されず、棒状等であってもよい。
【００２４】
支持部材４が板状である場合、支持部材４は、その幅方向が容器本体２の両方の側縁部１６を結ぶ直線と平行し、厚み方向の表面が流路２４の開口端２４ａに面するように配置されていることが好ましい。これにより、容器本体２をスクイズする際に支持部材４がより邪魔になりにくく、内容物を絞り出すことがより容易になる。
【００２５】
また、支持部材４が板状である場合、支持部材４の横断面の形状は、この例のように第１の平面部１０側に膨出する円弧状になっていることが好ましい。すなわち、支持部材４は、注出筒部２０の流路２４の開口端２４ａ側が凹状になった樋状であることが好ましい。これにより、支持部材４の凹状部分に指を沿わせて容器本体２をスクイズすることで、その凹状部分を利用して内容物を注出筒部２０の流路２４に導きやすくなるため、容器本体２内の内容物を絞り出すことが容易になる。
なお、支持部材４は、横断面が前記した円弧状になっているものには限定されず、平板状であってもよい。
【００２６】
また、図４に示すように、支持部材４における第１の平面部１０の内面１０ａと接する表面４ａは、口部材３における第１の平面部１０の内面１０ａと接する表面３ｂと面一になっていることが好ましい。これにより、支持部材４と容器本体２の第１の平面部１０との隙間に内容物が入り込みにくくなるため、容器本体２内の内容物をより効率良く絞り出すことができる。
【００２７】
容器１のような倒立タイプの容器では、内容物が減少した際、倒立させた状態において、容器本体は底側よりも口部材に近い側で折れ曲がりやすい。そのため、支持部材４を容器本体２の底まで延ばして容器本体２を全体的に支えなくても、少なくとも容器本体２における口部材３が取り付けられた側を部分的に支えることで、倒立させた状態の容器１の自立性は充分に保持することが可能である。
容器本体２内の内容物の収容部分の高さＬ０（図１）に対する前記支持部材４の長さＬ（図１、図４）の比（Ｌ／Ｌ０）は、１／１０〜１／３が好ましく、１／８〜１／４がより好ましい。前記Ｌ／Ｌ０が下限値以上であれば、内容物が減少しても、倒立させた状態での容器１の自立性を保持させやすい。前記Ｌ／Ｌ０が上限値以下であれば、使用樹脂量に無駄がない。
【００２８】
支持部材４の長さＬは、１０〜７０ｍｍが好ましく、２０〜５０ｍｍがより好ましい。支持部材４の長さＬが下限値以上であれば、内容物が減少しても、倒立させた状態での容器１の自立性を保持させやすい。支持部材４の長さＬが上限値以下であれば、使用樹脂量に無駄がない。
【００２９】
支持部材４の幅Ｄは、５〜２０ｍｍが好ましく、１０〜１５ｍｍがより好ましい。支持部材４の幅Ｄが下限値以上であれば、容器本体２をスクイズすることによって、支持部材４を利用して内容物を絞り出すことが容易になる。支持部材４の幅Ｄが上限値以下であれば、口部材の溶着部が無駄に大きくならない。
なお、支持部材４の幅Ｄは、口部材３の流路２４が位置する側から支持部材４を正面視したときの幅である。
【００３０】
支持部材４の材質としては、特に限定されず、例えば、口部材３で挙げた樹脂と同じ樹脂等が挙げられる。
【００３１】
（閉止部材）
閉止部材５は、口部材３に着脱可能に被着され、口部材３の注出口２６を閉じるものである。
閉止部材５は、図２、図３、図６〜８に示すように、暫時拡径した筒状の外壁部３０と、外壁部３０の内側で段階的に縮径し、先端部が円筒状になっている筒状の内壁部３２と、外壁部３０が縮径した側で外壁部３０と内壁部３２を連結する連結部３４と、内壁部３２の円筒状の部分の先端に設けられた円板状の天板部３６と、を有している。
【００３２】
閉止部材５は、外壁部３０の先端部３０ａを下側にして置くことができ、その状態における正面視で台形状となるような円錐状になっている。また、閉止部材５には、内壁部３２及び天板部３６によって、外壁部３０が縮径している側の中央に口部材３の注出筒部２０の先端部が嵌まり込む凹部３８が形成されている。
凹部３８に口部材３の注出筒部２０の先端部を嵌め込んだ状態で、閉止部材５の外壁部３０の先端部３０ａを下側にして置くことで、図１及び図２に示すように、容器１を倒立させた状態とすることができる。
【００３３】
天板部３６の連結部３４側の面には、図７に示すように、突起部４０が円環状に形成されており、それによって突起部４０と内壁部３２との間に円環状の溝４２が形成されている。口部材３の注出筒部２０の先端部を閉止部材５の凹部３８に嵌め込んだ際に、図２に示すように、凹部３８内の溝４２に注出筒部２０の先端が嵌まり込むことで、口部材３の注出口２６が閉止された状態で固定される。
【００３４】
また、内壁部３２における連結部３４側には、内壁部３２における直径方向において対向するように、内側に突出する一対の係止部４４が形成されている。容器１では、凹部３８に口部材３の注出筒部２０の先端部を嵌め込んだ際に、図８に示すように、注出筒部２０に設けられた一対の突起部２８が閉止部材５の一対の係止部４４の下端部に係止されることで、口部材３がより安定に固定されるようになっている。
【００３５】
また、図６及び図７に示すように、閉止部材５の連結部３４側には、外壁部３０の直径方向において対向するように一対のスリット４６が形成されている。口部材３の注出筒部２０の先端部を閉止部材５の凹部３８に嵌め込んだ際には、図１及び図２に示すように、一対のスリット４６に容器本体２の上縁部１４が入り込むようになっている。これにより、口部材３が固定されるのに加えて、容器本体２の上縁部１４も閉止部材５のスリット４６によって固定されるため、容器１が倒立状態をより安定して保持できる。
【００３６】
閉止部材５の材質は、特に限定されず、例えば、公知の容器のキャップに用いられる材質を適宜用いることができる。閉止部材５の材質の具体例としては、例えば、口部材３で挙げた樹脂と同じ樹脂等が挙げられる。
【００３７】
容器１の製造方法は、特に限定されず、例えば口部材３及び支持部材４を射出成形等で一体的に成形する以外は、公知の方法を採用できる。例えば、以下に示す方法が挙げられる。
射出成形等によって口部材３と支持部材４が一体となった成形体を成形する。第１の平面部及び第２の平面部１２を形成する２枚の可撓性フィルムにおける、上縁部１４となる部分の間に、前記成形体における口部材３の溶着部２２を挟み、上縁部１４、側縁部１６及び底縁部１８をヒートシールして、口部材３及び支持部材４が液密に取り付けられた容器本体２を得る。また、射出成形等で別途成形した閉止部材５を口部材３に取り付ける。
【００３８】
以上説明した容器１においては、容器本体２内における口部材３の端部３ａに支持部材４が備えられているため、内容物が減少しても支持部材４が支えになることで容器本体２が折れ曲がることが防止され、倒立した状態を安定して保持できる。また、容器１においては、支持部材４が、口部材３の端部３ａにおける第１の平面部１０側のみに設けられている。そのため、前述した従来の容器（ii）及び容器（iii）とは異なり、容器１では容器本体２を全体的にスクイズすることが可能であり、容器本体２内の内容物を容易に絞り出すことも可能である。
また、容器１は、口部材３及び支持部材４を射出成形等で簡便に成形できるため、製造も容易である。
【００３９】
本発明の容器に収容される内容物としては、特に限定されず、例えば、歯磨剤、食品（練りワサビ、練りガラシ等。）、薬品（軟膏等。）、医薬部外品（スキンクリーム、シャンプーリンス等。）等のペースト状物が挙げられる。本発明の容器は、容器本体内にペースト状物を収容する場合に特に有効である。
【００４０】
＜他の実施形態＞
なお、本発明の容器は、前記した容器１には限定されない。
例えば、本発明の容器の閉止部材は、閉止部材を下にして倒立させることができる範囲であれば、例えば円板状の天板部と、該天板部から容器本体に向かって延びる円筒状の外壁部とを有する公知のキャップ形状であってもよい。
【００４１】
また、本発明の容器は、図９及び図１０に例示した支持部材４Ａを備える容器であってもよい。
支持部材４Ａは、平板状であり、長さ方向に一定の間隔を空けて、幅方向に直線的に薄肉部４８が複数形成されている。支持部材４Ａは、薄肉部４８を利用して先端側から順に折り畳んでいくことができる。そのため、容器本体内の内容物が少なくなっていくのに合わせて、支持部材４Ａと共に容器本体を底側から折り畳んでいくことが可能となる。支持部材４Ａを利用して折り畳んだ容器本体は、支持部材４Ａが元の形状に戻りにくいため、折り畳まれた状態が維持される。
【００４２】
容器本体の底側を折り畳まない状態では、内容物が少なくなったときに容器本体をスクイズした際に、内容物が底側にも移動してしまうため、内容物を効率良く絞り出すことが困難である。これに対して、支持部材４Ａを利用して容器本体の底側を折り畳んでいくことで、容器本体内の内容物が少なくなった状態でも、容器本体をスクイズした際に内容物が底側に戻ってしまうことを抑制できる。そのため、容器本体の内容物が少なくなっても、より容易に内容物を絞り出すことができる。
【符号の説明】
【００４３】
１  容器
２  容器本体
３  口部材
４、４Ａ  支持部材
５  閉止部材
１０  第１の平面部
１２  第２の平面部
２０  注出筒部
２２  溶着部
２４  流路
２６  注出口
２８  突起部
【図１】
2015048131.tif 000003
【図２】
2015048131.tif 000004
【図３】
2015048131.tif 000005
【図４】
2015048131.tif 000006
【図５】
2015048131.tif 000007
【図６】
2015048131.tif 000008
【図７】
2015048131.tif 000009
【図８】
2015048131.tif 000010
【図９】
2015048131.tif 000011
【図１０】
2015048131.tif 000012